(57)【要約】【課題】従来の便蓋クッションは上方に向かって突出した半球形状のもので、便座と便蓋が同じ回動中心を有する場合、便蓋用脚１は便座の開時、閉時に関わらず、常に便座の同じ位置に当接し、便座が便蓋に当たる衝撃を緩和させるようになっている。その結果、従来の便蓋クッションは大きな面で便座と接触していたために大きな当たり音が発生することがあった。【解決手段】便蓋に配設される便蓋クッションにおいて、該便蓋用脚は、前面に突起を形成したので、便座との接触が点接触となり、更に便座との衝突で押しつぶされやすくなるために音の発生を可及的に抑える。【選択図】　　　図３
2004024693.tif 000002
【特許請求の範囲】
【請求項１】
便蓋に配設される便蓋クッションにおいて、該便蓋用脚は、前面に突起を形成したことを特徴とする便蓋用脚。
【発明の詳細な説明】
【０００１】
【発明の属する技術分野】
本発明は、便蓋の下面に配設される便蓋クッションに関するものである。
【０００２】
【従来の技術】
従来の便蓋クッションは上方に向かって突出した半球形状のもので、便座と便蓋が同じ回動中心を有する場合、便蓋用脚１は便座の開時、閉時に関わらず、常に便座の同じ位置に当接し、便座が便蓋に当たる衝撃を緩和させるようになっている。
【０００３】
【発明が解決しようとする課題】
従来の便蓋クッションは大きな面で便座と接触していたために大きな当たり音が発生することがあった。
【０００４】
【課題を解決するための手段及び作用及び効果】
本発明は上記課題を解決するために、便蓋に配設される便蓋クッションにおいて、該便蓋用脚は、前面に突起を形成したので、便座との接触が点接触となり、更に便座との衝突で押しつぶされやすくなるために音の発生を可及的に抑えることができた。
【０００５】
【発明の実施の形態】
続いて、添付した図面を参照しつつ、本発明を具体化した実施の形態につき説明し、本発明の理解に供する。
【０００６】
ここに、図１は本発明の一実施の形態に係るトイレ装置を取付けた便器本体の外観図を示す斜視図、図２は同トイレ装置のケーシング内部の機能部を示す分解斜視図、図３は同トイレ装置の便蓋及び便座を開いた状態での分解斜視図、図４（Ａ）、（Ｂ）はそれぞれ同トイレ装置の便蓋及び便座がいずれも倒伏状態となっている場合の部分側面図、便蓋のみ開いた状態での部分側面図、図５は室内暖房ユニットのダクト出口を示す説明図である。
図１〜図５に示すように、本発明の一実施の形態に係るトイレ装置１０は、便器本体１１の後部に配置された機能部１２を収納するケーシング１３と、ケーシング１３の前側に設けられ便器本体１１の上面に配置される便座１４と、ケーシング１３の前側に設けられ便座１４を覆うように配置される便蓋１５とを有している。以下、これらについて詳細に説明する。
【０００７】
図２に示すように、トイレ装置１０の機能部１２は、例えば、便器本体１１に洗浄水を供給する便器洗浄ユニット、人体局所を洗浄する衛生洗浄ユニット、トイレの使用環境を快適に調整する快適機能ユニットとを備えている。
【０００８】
便器洗浄ユニットは、例えば、水道水の供給口１６に取付ける止水栓１７と、レバー１８の操作位置に対応して予め設定した水量の洗浄水を便器本体１１に供給する電磁弁を備えた給水部本体１９と、止水栓１７及び給水部本体１９を接続する第１の給水配管２０を有している。更に、便器洗浄ユニットには、給水部本体１９と便器本体１１に設けられた図示しない給水口とを接続する第２の給水配管１９ａが設けられている。このような構成とすることにより、便器本体１１に洗浄水を供給して便器本体１１内部を洗浄することができる。
【０００９】
衛生洗浄ユニットは、第１の給水配管２０から分岐した分岐給水配管２１を介して供給される水道水を所定温度（例えば、３７〜４０℃）まで加熱して温水として供給する熱交換ユニット２２と、温水を噴出する噴出口が先端部に設けられたノズルユニット２３とを備えている。また、衛生洗浄ユニットには、温風を人体局所に向けて送風する乾燥ファンユニット２４が設けられている。このような構成とすることにより、トイレ使用後に人体局所を温水で洗浄し、その後乾燥させることができる。
【００１０】
快適機能ユニットには、トイレ室に入室した人が便器本体１１に向かって接近してくるのを検知する第１の人体検知センサ２５と、人が便器本体１１の前面側に立っていることを検知する第２の人体検知センサ２６と、人が便座１４に着座していることを検知する着座センサ２７が設けられている。また、快適機能ユニットには、第１の人体検知センサ２５の検知信号で閉じている便蓋１５を自動的に開け、着座センサ２７の検知信号から人が便座１４から離脱したのを検知し所定時間が経過した後に、開いている便蓋１５を自動的に閉じる便蓋自動開閉手段２８と、便器本体１１の使用者の操作によって便座１４を電動で開け、第２の人体検知センサ２６の検知信号から人が便器本体１１の前面側から離脱したのを検知して、開いている便座１４を自動的に倒伏させる便座自動開閉手段２９が設けられている。
【００１１】
更に、快適機能ユニットには、便座１４の表面温度を調節するために便座１４内に配設された便座ヒータ（図示無し）と、便器本体１１内の臭気を吸引する吸引ファンを及び臭気の吸着を行う脱臭触媒からなる脱臭ユニット３０と、室内を暖房するための室内暖房ユニット３１が設けられている。このような構成とすることにより、便座１４、便蓋１５の自動開閉が可能となり、トイレの使用が容易となる。また、便座１４を加温することにより、便座１４に着座した際の違和感を除去することができ、トイレ室内を加温することにより、トイレ室内に入室した際の違和感を除去することができ、更に、トイレ使用中やトイレ使用後の臭気の除去が可能となって、トイレ室の利用が快適となる。
【００１２】
なお、便器洗浄ユニットから供給される水量の設定、衛生洗浄ユニットのノズル本体２３から噴出する温水の温度と水圧の設定、便座１４の表面温度の設定、人体検知センサ２５、２６及び着座センサ２７の動作設定、脱臭ユニット３０の動作設定等は、トイレ室の壁に取付けられた遠隔操作盤（図示無し）により行うことができる。
【００１３】
また、衛生洗浄ユニットのノズル本体２３からの洗浄水の供給、乾燥ユニット２４の運転はトイレ装置の側部に設けられた補助操作盤（図示無し）を操作して行うことができる。
【００１４】
なお、トイレ装置１０の動作状況は、トイレ装置１０の後部に立設した表示部３２に表示される。
【００１５】
トイレ装置１０の機能部１２を収納するケーシング１３は、機能部１２を載置する台板１３ａと、台板１３ａの周囲に立設し機能部１２を上方から覆う上面カバー１３ｂとを有しており、これらは、例えばＡＢＳ樹脂等のプラスティックから構成することができる。また、上面カバー１３ｂの前側の傾斜部には、前方に突出して上面カバー１３ｂの幅方向に軸受ハウジング１３ｃが設けられている。この軸受ハウジング１３ｃ内に、便蓋自動開閉手段２８及び便座自動開閉手段２９が収納されるようになっている。また、上面カバー１３ｂの前方側の端部には第１の人体検知センサ２５用の検知窓２５ａ、傾斜部４１の一方の端側には第２の人体検知センサ２６用の検知窓２６ａ、他方の端側には着座センサ２７用の検知窓２７ａがそれぞれ設けられている。更に、上面カバー１３ｂ（軸受ハウジング１３ｃの基端部分）に便蓋１５後端と干渉しそうな部分には低摩擦係数の表面材３３を貼りつけ、便蓋１５の後端がケーシング１３に当たっても、表面を滑って逃がすことで大きな音が発生するのを防止する。
【００１６】
室内暖房ユニット３１の出口部下端と台板１３ａとの間には断熱材からなる漏れ防止材３４を設け、暖房ユニット３１から熱風が漏れるのを防止すると共に熱風による台板１３ａへの熱による影響を防止している。
【００１７】
上面カバー１３ｂ前方に設けた便器本体１１へ取付けるための取付孔３５を隠蔽するための隠蔽カバー３６との間にはパッキン３７を設けて、取付孔３５から便器本体１１の裏側に水が浸入することを防止する。
【００１８】
便蓋１５は、前方部と両側部の形状が便器本体１１の前方部と両側部の形状と相似形状をなし、後方部は直線状となっている便蓋本体１５ａと、便蓋本体１５ａの周囲に立設された側板１５ｂとを有している。このような構成とすることにより、便蓋１５により、便器本体１１を上方から覆って塞ぐことができる。また、便蓋本体１５ａの裏面側にはゴム等の弾性体からなるクッション１５ｃが設けられている。クッション１５ｃは図３に示すように先端に突起を設けることにより、便蓋自動開閉手段２８により便蓋１５を閉じる際に、あるいは便座１４が便座自動開閉手段２９により開く際に、便蓋１５と便座１４が直接衝突して大きな音が発生することを防止することができる。便座１４は、前方部と両側部の形状が便器本体１１の前方部と両側部の形状と実質的に同一形状をなしている。このような構成とすることにより、便蓋１５により便座１４を便器本体１１と共に上方から覆って塞ぐことができる。また便座１４の裏面側には複数の（例えば、４個）ゴム製の脚１４ａが設けられている。ゴム製の脚１４ａを設けることにより、便座自動開閉手段２９により便座１４を閉じる際に、便器本体１１の上面と便座１４が直接衝突するのを防止することができる。
【００１９】
続いて、本実施の形態に係る便器本体１１に取付けたトイレ装置１０の使用方法について詳細に説明する。
【００２０】
便器本体１１の上面側に配置されたトイレ装置１０の使用前の状態は、図４（Ａ）に示すように、便器本体１１の収納空間部３０、便座１４、便座１４及び便蓋１５が取付けられている軸受ハウジング１３ｃが全て便蓋１５により覆われた状態となっている。そして、便器本体１１の後部には、前方側に第１の人体検知センサ２５用の検知窓２５ａが配置されているケーシング１３の上面カバー１３ｂが設けられており、ケーシング１３の前側には、トイレ装置１０の動作状況を表示する表示窓３２ａが配置されている。人がトイレ室に入室して便器本体１１に接近すると、第１の人体検知センサ２５が人の接近を検知して、自動便蓋開閉手段２８を起動させて、図４（Ｂ）に示すように便蓋１５を開ける。便蓋１５が開くと、便座１４と、第２の人体検知センサ２６及び着座センサ２７の各検知窓２６ａ、２７ａが露出する。その結果、第２の人体検知センサ２６、着座センサ２７は人の動作を検知することが可能な状態となる。便蓋１５が開いた後、人が便座１４に着座すると、着座センサ２７が人の着座状態を検知する。
【００２１】
人が便座１４に着座すると脱臭ユニット３０が起動して、吸引口から便器本体１１内部の空気が吸引され、脱臭触媒で脱臭されてからトイレ室内に排気される。また、補助操作盤若しくは遠隔操作盤を操作して、衛生洗浄ユニットのノズル本体２３からの洗浄水の供給を行ない、次いで、乾燥ユニット２４を運転して乾燥を行う。
【００２２】
トイレの使用後、人が便座１４から離脱すると第２の人体検知センサ２６若しくは着座センサ２７がそのことを検知して、便蓋自動開閉手段２８を起動させて便蓋１５を自動的に閉じる。また、便座１４が開いた状態で人が便器本体１１から離れると、第２の人体検知センサ２６がそのことを検知し、便座自動開閉手段２９を起動させて便座１４を倒伏さ
せて、次いで便蓋１５を閉じる。その後、洗浄水を便器本体１１に供給し便器本体１１の内部の洗浄を自動的に行う。
【図面の簡単な説明】
【図１】本発明の一実施の形態に係るトイレ装置を取付けた便器本体の外観図を示す斜視図である。
【図２】同トイレ装置のケーシング内部の機能部を示す分解斜視図である。
【図３】同トイレ装置の便蓋及び便座を開いた状態での分解斜視図である。
【図４】（Ａ）、（Ｂ）はそれぞれ同トイレ装置の便蓋及び便座がいずれも倒伏状態となっている場合の部分側面図、便蓋のみ開いた状態での部分側面図である。
【図５】軸受ハウジングに便座及び便蓋を取付けたときの状態を示す説明図である。
【符号の説明】
１０：トイレ装置、１１：便器本体、１２：機能部、１３：ケーシング、１４：便座、１５：便蓋、１６：供給口、１７：止水栓、１８：レバー、１９：給水部本体、２０：第１の給水配管、２１、第２の給水配管、２２：熱交換部、２３：ノズル本体、２４：乾燥ユニット、２５：第１の人体検知センサ、２６：第２の人体検知センサ、２６ｂ：検知窓、２７：着座センサ、２８：便蓋自動開閉手段、２９：便座自動回動手段、３０：脱臭ユニット、３１：室内暖房ユニット、３２：表示部、
１３ａ：台板、１３ｂ：上面カバー、１３ｃ：軸受ハウジング、２５ａ：検知窓、２６ａ：検知窓、２７ａ：検知窓、１５ａ：便蓋本体、１５ｂ：側板、１５ｃ：クッション、
【図１】
2004024693.tif 000003
【図２】
2004024693.tif 000004
【図３】
2004024693.tif 000005
【図４】
2004024693.tif 000006
【図５】
2004024693.tif 000007